(57)【要約】【課題】  電気料金別の時間帯により運転、停止を制御してエネルギーコストの優れた除湿、加湿機能付き換気システムを提供すること。【解決手段】  除湿・加湿手段を備えた換気システム２が設置された建物１００において、建物１００内の部屋１０の内壁もしくは天井の大部分が吸放湿速度及び吸放湿容量の大きな吸放湿建材１で形成され、電気料金が安い時間帯に除湿機能または加湿機能を稼動し、電気料金が高い時間帯には除湿機能または加湿機能を停止し、換気機能のみを稼動する。【選択図】        図１
2005156013.tif 000002
【特許請求の範囲】
【請求項１】
除湿・加湿手段を備えた換気システムが設置された建物において、建物内の部屋の内壁もしくは天井の少なくとも一部が吸放湿速度及び吸放湿容量の大きな吸放湿建材で形成され、電気料金が安い時間帯に除湿機能または加湿機能を稼動し、電気料金が高い時間帯には除湿機能または加湿機能を停止し、換気機能のみを稼動することを特徴とする換気システム。
【請求項２】
前記除湿・加湿手段を備えた換気システムは、外気の湿度を感知する湿度センサーが取付けられており、季節、湿度変化に合わせて除湿機能または加湿機能の運転を制御することを特徴とする請求項１記載の換気システム。
【発明の詳細な説明】
【技術分野】
【０００１】
本発明は、深夜電力等を利用する換気システムに関する。
【背景技術】
【０００２】
従来、安価な深夜電力を利用して除湿装置（エアコンディショナー、クーラーの除湿モード運転を含む）を使用して、室内の湿度を快適湿度に調整する調整方法が提案されている。（例えば、特許文献１参照。）。この方法によれば、除湿装置の運転を効率よく行うことにより、電力消費量を低減し、経済的に室内湿度の調整を行うことができる。
【０００３】
又、建物内の部屋の内壁もしくは天井の大部分が吸放湿建材で形成され、その一部が透湿建材にて形成され、その透湿建材の裏側に通気層が設けられており、その通気層を部屋の湿度よりも低湿度になす除湿機を備えた調湿システムが提案されている。（例えば、特許文献２参照。）。このシステムによれば、室温を低めの設定温度にすることなく、居室等の相対湿度を６０％以下、好ましくは４０％以上６０％以下に調湿することができる。
【特許文献１】特開平８−１９３７４４号公報
【特許文献２】特開平１１−２０１５０４号公報
【発明の開示】
【発明が解決しようとする課題】
【０００４】
しかし、特許文献１記載の方法では、室内に湿度センサーを設置し、室内湿度を感知することにより室内湿度を調整するものであるが、室内の湿気を除湿機能のみにより除湿するためエネルギー消費量は大きい。又、室内の湿度は変動が大きい為電力料金の高い時間帯においても運転してしまうなど制御が難しいという問題点があった。
【０００５】
又、特許文献２記載のシステムでは、室温を低めの設定温度にすることなく、部屋の相対湿度を４０％以上６０％以下に調湿することができるが、必ずしも電力料金の安い時間帯のみに運転し、電気料金の高い時間帯は運転をストップするなど、エネルギー効率を考えて運転することが難しいという問題点があった。
【０００６】
そこで、本発明では、上記の問題点を解消し、電気料金別の時間帯により運転、停止を制御してエネルギーコストの優れた除湿、加湿機能付き換気システムを提供することを目的とする。
【課題を解決するための手段】
【０００７】
前記課題を解決する為、請求項１に記載された発明では、除湿・加湿手段を備えた換気システムが設置された建物において、建物内の部屋の内壁もしくは天井の少なくとも一部が吸放湿速度及び吸放湿容量の大きな吸放湿建材で形成され、電気料金が安い時間帯に除湿機能または加湿機能を稼動し、電気料金が高い時間帯には除湿機能または加湿機能を停止し、換気機能のみを稼動することを特徴とする換気システムである。
【０００８】
請求項２に記載された発明では、前記除湿・加湿除湿・加湿手段を備えた換気システムは、外気の湿度を感知する湿度センサーが取付けられており、季節、湿度変化に合わせて除湿機能または加湿機能の運転を制御することを特徴とする請求項１記載の換気システムである。
【０００９】
本発明においては、建物内の部屋の内壁や天井の少なくとも一部が吸放湿速度及び吸放湿容量の大きな吸放湿建材にて形成される。
吸放湿建材としては、珪藻土等の天然素材の吸放湿性能を利用したものや、ゼオライト等の吸放湿材を壁基材や天井基材に混入させたもの等が使用される。
【００１０】
本発明において、吸放湿建材は、例えば、８畳の居室へ利用する場合、空調温度２８℃設定時に、人の入室や炊事による潜熱負荷の増大、例えば気化熱の増大により、相対湿度が５０％から７０％に変化したとき、必要とする吸湿速度は４００ｇ／ｈである。内壁もしくは天井に吸放湿建材を２０ｍ2 敷設する時の単位壁面積当たりの吸湿速度は２０ｇ／ｈ・ｍ2 以上、吸放湿容量は２００ｇ／ｍ2以上が望ましい。吸湿速度を大きくするには、建材面積に微妙な凹凸をつけ表面積を大きくする方法がある。
【発明の効果】
【００１１】
請求項１記載にかかる発明によれば、除湿・加湿手段を備えた換気システムが設置された建物において、建物内の部屋の内壁もしくは天井の少なくとも一部が吸放湿速度及び吸放湿容量の大きな吸放湿建材で形成され、電気料金が安い時間帯に除湿機能または加湿機能を稼動し、電気料金が高い時間帯には除湿機能または加湿機能を停止し、換気機能のみを稼動する。そうすることで、日中は夜間に除湿あるいは加湿された吸放湿建材が室内の湿度環境を適度に保つことができる。即ち、除湿または加湿運転のランニングコストを抑えながら、室内の湿度を適度に保つことができる。このとき、除湿は換気の空気により外気に排出されるので効率が良い。
【００１２】
請求項２記載にかかる発明によれば、前記除湿・加湿除湿・加湿手段を備えた換気システムは、外気の湿度を感知する湿度センサーが取付けられており、季節、湿度変化に合わせて除湿機能または加湿機能の運転を制御する換気システムであるので、無駄なく効率の良い除湿及び加湿ができる。
【発明を実施するための最良の形態】
【００１３】
以下、本発明の具体的な実施の形態について、図１、表１及び２を用いて説明する。
図１は本発明の一実施例を示し、建物１００内の部屋１０の内壁及び天井は吸放湿建材１で形成されている。吸放湿建材１は吸放湿速度及び吸放湿容量の大きなものが使用される。部屋１０内には除湿・加湿装置付きの換気システム２が設置されている。換気システム２には外気を取り入れる配管２４及び換気システム２により除湿あるいは加湿された空気を配管２５を通って天井から供給する供給口２１、又、部屋１０の空気を排出する排出口２２から配管２６を通って換気システム２を経由して屋外に排出する配管２３が設けられている。又、湿度センサー３は建物１００の外側に取付けられて換気システム２に接続されている。
【００１４】
図１において、除湿・加湿装置付きの換気システム２は電力料金が安い時間帯に湿度センサー３の検出湿度に基づいて除湿機能または加湿機能を稼動し、部屋１０の湿度環境を快適にすると共に、吸放湿建材１を除湿あるいは加湿する。又、電力料金が高い日中には除湿機能または加湿機能を停止する。そうすることで、日中は夜間に除湿あるいは加湿された吸放湿建材１が部屋１０内の湿度を吸湿あるいは部屋１０内に加湿された吸放湿建材１から放湿により部屋１０の湿度環境を適度に保つことができる。
【００１５】
次に、季節またはその日の湿度変化により除湿機能または加湿機能を運転するかどうかを制御する換気システムについて表１、表２により説明する。
【００１６】
【表１】
2005156013.tif 000003
【００１７】
表１は夏季または梅雨季等の除湿運転モードにおける運転制御を示し、昼間においては外気が高湿であるか低湿であるかにかにかかわらず換気運転のみを行う。夜間の電気料金の安い時間帯においては外気が高湿のみ換気及び除湿運転を行い、低湿時は換気運転のみを行う。
【００１８】
【表２】
2005156013.tif 000004
【００１９】
表２は冬季等の加湿運転モードにおける運転制御を示し、昼間においては外気が高湿であるか低湿であるかにかにかかわらず換気運転のみを行う。夜間の電気料金の安い時間帯においては外気が低湿のみ換気及び加湿運転を行い、高湿時は換気運転のみを行う。
【００２０】
上述の通り、本発明では電気料金別の時間帯と季節により除湿あるいは加湿運転、停止を制御する。電気料金の安い時間帯に除湿あるいは加湿し、吸放湿建材を充分放湿あるいは吸湿させることで昼間は運転を停止する。これにより除湿あるいは加湿運転のランニングコストを抑えながら、部屋内の湿度を適度に保つことができる。このとき、除湿は換気の空気により外気に排出されるので効率が良い。
【００２１】
又、湿度を感知する湿度センサーを外気側に設けることにより、外気の湿度変動は安定的な変化を示すので（部屋内の湿度変動は部屋内の人の出入りによる潜熱負荷変動が大きく、昼間でも運転してしまう）換気システムの除湿あるいは加湿運転が無駄なく効率の良い運転ができる。
【図面の簡単な説明】
【００２２】
【図１】本発明を適用する建物内の部屋の換気システムの全体を示す説明図である。
【符号の説明】
【００２３】
１     吸放湿建材
２     換気システム
３     湿度センサー
１０   部屋
１００ 建物
【図１】
2005156013.tif 000005